(57)【要約】【課題】浴室内のカビの発生を効率的に抑制することができる浴室乾燥システムを提供することを目的としている。【解決手段】換気口１３から浴室乾燥機２によって高温多湿空気が屋外に排出されるまでの風路ａ１９を浴室内の壁面、天井面若しくは床面を通るように構成し、換気口１３から浴室内に供給されて屋外へ排出される空気の圧力損失を小さくするように構成することによって浴室内に供給される風量を増加させ、換気口１３より浴室内に供給される空気にイオン発生装置１４によって放出された正イオンまたは負のイオンが含有され、正イオンまたは負のイオンを含んだ空気が浴室内の壁面、天井面または床面を通過することにより、浴室内の壁面、天井面または床面のカビの発生を抑制し、浴室内を衛生的に保つことができる。【選択図】図１
2008304118.tif 000002
【特許請求の範囲】
【請求項１】
浴室内の空気を屋外へ排出する換気部と、浴室内の空気を循環させる循環部と、浴室内の空気を温める熱交換部と、前記浴室内の空気を屋外へ排出する換気運転モード若しくは前記加熱部によって浴室内の空気を温めて前記循環部によって浴室内の空気を循環させながら前記浴室内の空気を屋外へ排出する乾燥運転モードを備えた浴室乾燥機を備え、浴室内と浴室外とを隔てる開閉扉に備えられた浴室内と浴室外の空気を流通させる換気口部に、電圧を印加することにより正イオン若しくは負イオンを発生するイオン発生手段を設けて、前記換気運転モード若しくは乾燥運転モード時に、前記イオン発生手段によって前記浴室内に正イオン若しくは負イオンを放出させることを特徴とする浴室乾燥システム。
【請求項２】
換気口部に備えられたイオン発生手段を移動可能に構成したことを特徴とする請求項１に記載の浴室乾燥システム。
【請求項３】
浴室乾燥機の換気運転モード若しくは乾燥運転モードに連動して、イオン発生手段を制御することを特徴とする請求項１または２に記載の浴室乾燥システム。
【請求項４】
換気口部に備えられた羽根板を格子状に取付けた可変式のガラリの開閉度に応じて、イオン発生手段を制御することを特徴とする請求項１から３のいずれかに記載の浴室乾燥システム。
【請求項５】
ガラリの開閉度に応じて、イオン発生手段を移動可能に構成したことを特徴とする請求項１から４のいずれかに記載の浴室乾燥システム。
【請求項６】
羽板上にイオン発生手段を備えたことを特徴とする請求項１から５のいずれかに記載の浴室乾燥システム。
【請求項７】
イオン発生手段の正常、異常若しくは前記イオン発生手段の状態を報知する報知手段を備えたことを特徴とする請求項１から６のいずれかに記載の浴室乾燥システム。
【請求項８】
換気口部に備えられた浴室内と浴室外との圧力差を検出する圧力差検出手段によって検出された圧力差に連動して、イオン発生手段を制御することを特徴とする請求項１から７のいずれかに記載の浴室乾燥システム。
【請求項９】
圧力差検出手段によって検出された圧力差に応じて、イオン発生手段を移動可能に構成したことを特徴とする請求項１から８のいずれかに記載の浴室乾燥システム。
【請求項１０】
イオン発生手段との通信が正常に行われないときに、イオン発生手段を停止するように構成したことを特徴とする請求項１から９のいずれかに記載の浴室乾燥システム。
【請求項１１】
浴室の利用者が浴室乾燥機の換気運転若しくは乾燥運転の運転モードへのイオン発生手段の連動を、任意に選択できるように構成したことを特徴とする請求項１から１０のいずれかに記載の浴室乾燥システム。
【請求項１２】
イオン発生手段を前記浴室乾燥機からの無線信号で制御することを特徴とする請求項１から１１のいずれかに記載の浴室乾燥システム。
【発明の詳細な説明】
【技術分野】
【０００１】
本発明は、浴室の天井又は側壁に設置され、特に浴室内を除菌する機能を有する浴室乾燥機に関する。なお、以下の文で、熱源としてヒーターにより空気を加熱する電気式のものを例にとって説明するが、熱源として、ガスあるいは石油をエネルギー源とする熱源機により空気を加熱するもの本発明の対象である。
【背景技術】
【０００２】
従来、各種の機能を備えた浴室乾燥機が知られている。この浴室乾燥機は浴室内の空気を換気する換気手段と、浴室内の空気を循環させる循環手段と、浴室内に供給する空気を加熱する加熱手段とを有し、これら加熱手段、循環手段及び換気手段を制御することによって、各種機能を備えた浴室乾燥機として広く使用されている。
【０００３】
浴室内は高温多湿空間の為、浴室内の壁面や天井面にカビ等が発生し、不衛生になりやすい。そのため、正負のイオンを発生するイオン発生装置を浴室に設けて、正イオン負イオンを浴室空間に供給して空気中の浮遊菌を不活化することにより、カビの発生を抑えることが提案されている（例えば、特許文献１参照）。
【特許文献１】特開２００４−０８５０７８号公報
【発明の開示】
【発明が解決しようとする課題】
【０００４】
浴室内は高温多湿空間であり、入浴後に十分乾燥が行われない状態にあると、浴室内の壁面や天井にカビが発生しやすく、不衛生になりやすい。そのため、入浴後に十分に浴室内を乾燥させるために、浴室乾燥機の換気若しくは乾燥運転を行い、浴室内を換気若しくは乾燥させると共に、正イオン負イオンを浴室内に放出して、カビの発生を抑制するイオン発生部を有する浴室乾燥システムにおいて、浴室内の壁面や天井面に十分に正イオン負イオンを行き渡らせ、効率よく浴室内のカビの発生を抑制させることが望まれていた。
【０００５】
本発明は、このような従来の課題を解決する為のものであり、浴室内のカビの発生を効率的に抑制させることができる浴室乾燥システムを提供することを目的としている。
【課題を解決するための手段】
【０００６】
本発明の浴室乾燥システムは、上記の目的を達成する為に、浴室内の空気を屋外へ排出する換気部と、浴室内の空気を循環させる循環部と、浴室内の空気を温める熱交換部と、前記浴室内の空気を屋外へ排出する換気運転モード若しくは前記加熱部によって浴室内の空気を温めて前記循環部によって浴室内の空気を循環させながら前記浴室内の空気を屋外へ排出する乾燥運転モードを備えた浴室乾燥機を備え、浴室内と浴室外とを隔てる開閉扉に備えられた浴室内と浴室外の空気を流通させる換気口部に、電圧を印加することにより正イオン若しくは負イオンを発生するイオン発生部を設けて、前記換気運転モード若しくは乾燥運転モード時に、前記イオン発生部によって前記浴室内に正イオン若しくは負イオンを放出させるように構成したことである。
【０００７】
この手段により、浴室乾燥機の換気運転若しくは乾燥運転のモード時に、換気口部に設けられたイオン発生部によって放出された正イオンまたは負のイオンは、浴室外から換気口部を通して浴室内に供給される空気に含有されて、浴室内を通過して浴室外に排出される。イオン発生部によって放出される正イオンまたは負イオンは、空気中で放電することによって水分子と酸素分子が電離して生成され、空気中に浮遊するカビの原因となる浮遊菌の表面に付着し、空気中の浮遊細菌を取り囲んで化学反応を起こして活性種であるＨ2Ｏ2またはＯＨラジカルを生成し、カビの原因となる浮遊菌を不活化することにより、浴室内のカビの発生を抑制し、浴室内を衛生的に保つことができる浴室乾燥システムが得られる。
【０００８】
また、本発明の浴室暖房乾燥システムは、上記の目的を達成する為に、前記換気口部に備えられた前記イオン発生部を移動させる移動手段によって移動可能に構成したことである。
【０００９】
この手段により、前記イオン発生部を上下若しくは左右に移動させることにより、イオンを放出する方向を変化させることで、浴室内に正イオン若しくは負イオンを十分に行き渡らせ、浴室内のカビの発生を、効率的に抑制することができる浴室乾燥システムが得られる。
【００１０】
また、本発明の浴室乾燥システムは、上記の目的を達成する為に、浴室乾燥機の換気運転若しくは乾燥運転に連動して、イオン発生部を制御することである。
【００１１】
この手段により、浴室乾燥機の換気運転若しくは乾燥運転に連動して、イオン発生部を制御することにより、浴室内のカビを効率よく抑制することができる浴室乾燥システムが得られる。
【００１２】
また、本発明の浴室乾燥システムは、上記の目的を達成する為に、前記換気口部に備えられた羽根板を格子状に取付けた可変式のガラリの開閉度に応じて、前記イオン発生部を制御することである。
【００１３】
この手段により、ガラリの開閉度に応じて変化する浴室外から換気口部を通過して浴室内に流入する空気量に応じて、イオン発生部から放出されるイオンの放出量を制御することにより、浴室内に正または負のイオンを十分に行き渡らせ、浴室内のカビの発生を効率よく抑制することができる浴室乾燥システムが得られる。
【００１４】
また、本発明の浴室乾燥システムは、上記の目的を達成する為に、前記ガラリの開閉度に応じて、前記イオン発生部を移動可能に構成したことである。
【００１５】
この手段により、ガラリの開閉度に応じて変化する浴室外から換気口部を通過して浴室内に流入する空気の流れに応じて、イオン発生部から放出される正または負のイオンの放出方向を変化させることによって、浴室外から換気口部を通過して浴室内に流入する空気に正または負イオンを十分に含有させることによって、浴室内のカビの発生を効率よく抑制することができる浴室乾燥システムが得られる。
【００１６】
また、本発明の浴室乾燥システムは、上記の目的を達成する為に、前記羽根板上に前記イオン発生部を備えたことである。
【００１７】
この手段により、イオン発生部を移動させる構成を別途構成する必要がなく、換気口部を広く構成することによって、浴室外から換気口部を通過して浴室内に供給される空気の空気量を増加させて、浴室内のカビの発生を効率的に抑制することできる浴室乾燥システムが得られる。
【００１８】
また、本発明の浴室乾燥システムは、上記の目的を達成するために、前記イオン発生部の正常、異常若しくはイオン発生部の状態を報知する報知手段を備えたことである。
【００１９】
この手段により、イオン発生部の正常、異常若しくは浴室乾燥機の換気若しくは乾燥運転に連動したイオン発生部状態を浴室の利用者が認識することにより、浴室利用者の浴室利用形態に合わせることができる浴室乾燥システムが得られる。
【００２０】
また、本発明の浴室乾燥システムは、上記の目的を達成するために、前記換気口部に備えられた浴室内と浴室外との圧力差を検出する圧力差検出手段によって検出された圧力差に連動して、前記イオン発生部を制御することである。
【００２１】
この手段により、浴室内と浴室外の圧力差によって変化する浴室内と浴室外とを隔てる扉に具備された換気口部を通過して浴室内に供給される空気の風量に応じて、イオン発生部を連続的若しくは間欠的に動作させることにより、浴室内に放出される正または負イオンを効率的に浴室内に行き渡らせることができ、浴室内のカビの発生を抑制することができる浴室乾燥システムが得られる。
【００２２】
また、本発明の浴室乾燥システムは、上記の目的を達成するために、前記圧力差検出手段によって検出された圧力差に応じて、前記イオン発生部を移動可能に構成したことである。
【００２３】
この手段により、浴室内と浴室外との圧力差によって変化する浴室外から換気口部を通過して浴室内に流入する空気の風速に応じて、イオン発生部から放出される正または負のイオンの放出方向を変化させることによって、浴室外から換気口部を通過して浴室内に流入する空気に正または負イオンを十分に含有させることによって、浴室内のカビの発生を効率よく抑制することができる浴室乾燥システムが得られる。
【００２４】
また、本発明の浴室乾燥システムは、上記の目的を達成するために、前記イオン発生部との通信が正常に行われないときに、イオン発生部を機構的に停止するように構成したことである。
【００２５】
この手段により、浴室乾燥機とイオン発生部との通信が成立しない場合に、イオン発生部を機構的に停止することにより、浴室の利用者に安全な浴室乾燥システムが得られる。
【００２６】
また、本発明の浴室乾燥システムは、上記の目的を達成するために、浴室の利用者が浴室乾燥機の換気運転若しくは乾燥運転の運転モードへのイオン発生部の連動を、任意に選択できるように構成したことである。
【００２７】
この手段により、浴室の利用者が浴室乾燥機の換気運転若しくは乾燥運転の運転モードに応じて、イオン発生部を連動させるのかどうかを任意に選択できることによって、浴室利用者の浴室利用形態に応じた浴室乾燥システムが得られる。
【００２８】
また、本発明の浴室乾燥システムは、上記の目的を達成するために、前記イオン発生部を前記浴室乾燥機からの無線信号で制御することである。
【００２９】
この手段により、浴室乾燥機と浴室内と浴室外とを隔てる扉に具備された換気口部に設けられたイオン発生部とを有線で施工することが必要なく、浴室内のカビの発生を簡便な施工によって抑制することができる浴室乾燥システムが得られる。
【発明の効果】
【００３０】
本発明によれば、浴室内と浴室外とを隔てる扉に具備された浴室内と浴室外との空気を流通させる換気口部にイオン発生部を設け、浴室内に正または負のイオンを放出し、浴室外から換気口部を通過して浴室内に流入する空気に含有させることにより、カビの原因となる浮遊菌を不活化することにより、浴室内のカビの発生を効率的に抑制することが可能な浴室乾燥システムを提供できる。
【発明を実施するための最良の形態】
【００３１】
本発明の請求項１記載の浴室乾燥システムは、浴室内の空気を屋外へ排出する換気部と、浴室内の空気を循環させる循環部と、浴室内の空気を温める熱交換部と、前記浴室内の空気を屋外へ排出する換気運転モード若しくは前記加熱部によって浴室内の空気を温めて前記循環部によって浴室内の空気を循環させながら前記浴室内の空気を屋外へ排出する乾燥運転モードを備えた浴室乾燥機を備え、浴室内と浴室外とを隔てる開閉扉に備えられた浴室内と浴室外の空気を流通させる換気口部に、電圧を印加することにより正若しくは負イオンを発生するイオン発生部を設けて、前記換気運転モード若しくは乾燥運転モード時に、前記イオン発生部によって前記浴室内に正イオン若しくは負イオンを放出させるように構成した浴室乾燥機であり、浴室乾燥機の換気運転若しくは乾燥運転のモード時に、換気口部に設けられたイオン発生部によって放出された正イオンまたは負のイオンは、浴室外から換気口部を通して浴室内に供給される空気に含有されて、浴室内を通過して浴室外に排出される。イオン発生部によって放出される正イオンまたは負イオンは、空気中で放電することによって水分子と酸素分子が電離して生成され、空気中に浮遊するカビの原因となる浮遊菌の表面に付着し、空気中の浮遊細菌を取り囲んで化学反応を起こして活性種であるＨ2Ｏ2またはＯＨラジカルを生成し、カビの原因となる浮遊菌を不活化することにより、浴室内のカビの発生を抑制し、浴室内を衛生的に保つことができるという作用を有する。
【００３２】
本発明の請求項２記載の浴室乾燥システムは、前記換気口部に備えられた前記イオン発生部を移動させる移動手段によって移動可能に構成した請求項１に記載の浴室乾燥システムで、前記イオン発生部を上下若しくは左右に移動させることにより、イオンを放出する方向を変化させることで、浴室内に正イオン若しくは負イオンを十分に行き渡らせ、浴室内のカビの発生を、効率的に抑制することができるという作用を有する。
【００３３】
本発明の請求項３記載の浴室乾燥システムは、前記浴室乾燥機の換気若しくは乾燥運に連動して、前記イオン発生部を制御する請求項１または２に記載の浴室暖房乾燥システムであり、浴室乾燥機の換気若しくは乾燥運転に連動して、イオン発生部を制御することにより、浴室内のカビの発生を効率よく抑制することができるという作用を有する。
【００３４】
本発明の請求項４記載の浴室乾燥システムは、前記換気口部に備えられた羽根板を格子状に取付けた可変式のガラリの開閉度に応じて、前記イオン発生部を制御する請求項１から３いずれかに記載の浴室乾燥システムで、ガラリの開閉度に応じて変化する浴室外から換気口部を通過して浴室内に流入する空気量に応じて、イオン発生部から放出されるイオンの放出量を制御することにより、浴室内に正イオンまたは負のイオンを十分に行き渡らせ、浴室内のカビの発生を効率よく抑制することができるという作用を有する。
【００３５】
本発明の請求項５記載の浴室乾燥システムは、前記ガラリの開閉度に応じて、前記イオン発生部を移動可能に構成請求項１から４いずれかに記載の浴室乾燥システムであり、ガラリの開閉度に応じて変化する浴室外から換気口部を通過して浴室内に流入する空気の流れに応じて、イオン発生部から放出される正イオンまたは負イオンの放出方向を変化させることによって、浴室外から換気口部を通過して浴室内に流入する空気に正イオンまたは負イオンを十分に含有させることによって、浴室内のカビの発生を効率よく抑制するという作用を有する。
【００３６】
本発明の請求項６記載の浴室乾燥システムは、前記羽根板上に前記イオン発生部を備えた請求項１から５いずれかに記載の浴室乾燥システムであり、イオン発生部を移動させる構成を別途構成する必要がなく、換気口部を広く構成することによって、浴室外から換気口部を通過して浴室内に供給される空気の空気量を増加させて、浴室内のカビの発生を効率的に抑制することできるという作用を有する。
【００３７】
本発明の請求項７記載の浴室乾燥システムは、前記イオン発生部の正常、異常若しくはイオン発生部の状態を報知する報知手段を備えた請求項１から６いずれかに記載の浴室乾燥システムであり、イオン発生部の正常、異常若しくは浴室乾燥機の換気若しくは乾燥運転に連動したイオン発生部状態を浴室の利用者が認識することにより、浴室利用者の浴室利用形態に合わせることができるという作用を有する。
【００３８】
本発明の請求項８記載の浴室乾燥システムは、前記換気口部に備えられた浴室内と浴室外との圧力差を検出する圧力差検出手段によって検出された圧力差に連動して、前記イオン発生部を制御する請求項１から７いずれかに記載の浴室乾燥システムであり、浴室内と浴室外との圧力差によって変化する浴室外から換気口部を通過して浴室内に流入する空気の風速に応じて、イオン発生部から放出される正または負のイオンの放出方向を変化させることによって、浴室外から換気口部を通過して浴室内に流入する空気に正または負イオンを十分に含有させることによって、浴室内のカビの発生を効率よく抑制することができるという作用を有する。
【００３９】
本発明の請求項９記載の浴室乾燥システムは、前記圧力差検出手段によって検出された圧力差に応じて、前記イオン発生部を移動可能に構成した請求項１から８いずれかに記載の浴室乾燥システムであり、浴室内と浴室外の圧力差によって変化する浴室内と浴室外とを隔てる扉に具備された換気口部を通過して浴室内に供給される空気の風量に応じて、イオン発生部を浴室内の天井面、床面若しくは壁面方向に移動させることにより、浴室内に正イオンまたは負のイオンを十分に行き渡らせ、浴室内のカビの発生を効率的に抑制することができるという作用を有する。
【００４０】
本発明の請求項１０記載の浴室乾燥システムは、前記イオン発生部との通信が正常に行われないときに、イオン発生部を機構的に停止するように構成した請求項１から９いずれかに記載の浴室乾燥システムであり、浴室乾燥機とイオン発生部との通信が成立しない場合に、イオン発生部を機構的に停止することにより、安全に浴室の利用者が浴室乾燥機を利用できるという作用を有する。
【００４１】
本発明の請求項１１記載の浴室乾燥システムは、浴室の利用者が浴室乾燥機の換気運転若しくは乾燥運転の運転モードへのイオン発生部の連動を、任意に選択できるように構成した請求項１から１０いずれかに記載の浴室乾燥システムであり、浴室の利用者が浴室乾燥機の換気運転若しくは乾燥運転の運転モードに応じて、イオン発生部を連動させるのかどうかを任意に選択できることによって、浴室利用者の浴室利用形態に対応することができるという作用を有する。
【００４２】
本発明の請求項１２記載の浴室乾燥システムは、前記イオン発生部を前記浴室乾燥機からの無線信号で制御する請求項１から１１いずれかに記載の浴室乾燥システムで、浴室乾燥機と浴室内と浴室外とを隔てる扉に具備された換気口部に設けられたイオン発生部とを有線で施工することが必要なく、浴室内のカビの発生を簡便な施工によって抑制することができるという作用を有する。
【００４３】
以下、本発明の実施の形態について図面を参照しながら説明する。
【００４４】
（実施の形態１）
図１は本発明の実施の形態における浴室乾燥システムの構成を示す概略構成図である。図２は本発明の実施の形態１の換気運転時の空気の流れを示す概略図である。図３は本発明の実施の形態１の乾燥運転時の空気の流れを示す概略図である。図４は、本発明の実施の形態１の浴室乾燥機とイオン発生装置との通信形態を示すフローチャートを示す図である。
【００４５】
図１において、浴室１の天井に浴室乾燥機本体２が設置されており、浴室外には熱源として給湯器３（例えば、ガス給湯器または電気給湯器）が設置されている。この浴室乾燥機本体２には浴室内の空気を換気する換気手段としての換気部４と、浴室内の空気を循環させる循環手段としての循環部５と、浴室内に空気を吹出す吹出口６と、浴室内の空気を吸込む吸込口７と、浴室内の空気と温水とを熱交換させて空気を加熱する加熱部８と、給湯器３と加熱部８とを接続する温水路９と、浴室乾燥機本体２を制御するリモコン１０と、浴室内と浴室外とを隔てる扉１１と、扉１１の下端に設けられた１枚以上の羽根板１２から構成された換気口部としての換気口１３と、換気口１３に設けられたイオン発生部としてのイオン発生装置１４と、羽根板１２の開閉を制御する羽根板駆動部１５（例えば、ステッピングモーター）と、換気口１３の羽根板１２上に設けられた浴室内と浴室外との圧力差を検出する圧力差検出手段としての圧力センサー１６と、リモコン１０上に構成されたイオン発生装置１４の正常、異常若しくはイオン発生状態を示す報知手段としての報知ＬＥＤ１７と、イオン発生装置１４を移動させる移動手段としてのイオン発生装置駆動部１８と、から構成される。
【００４６】
浴室乾燥機本体２とイオン発生装置１４との通信は、浴室乾燥機本体２から換気、乾燥運転若しくは停止それぞれの運転モードにあわせたイオン発生装置１４の制御信号をイオン発生装置１４へ送信し、報知ＬＥＤ１７を点灯させて通信開始タイマをスタートさせる。イオン発生装置１４は、制御信号を受信するとそれぞれの運転モードにあわせたイオンの放出を開始若しくは停止する。浴室乾燥機本体２は、状態信号を受信すると換気若しくは乾燥運転のときは各々のモードに応じた制御信号をイオン発生装置に送信し通信開始タイマをリスタートし、浴室の利用者が予め定めておいた一定時間（例えば、２０分）が経過するもしくは浴室の使用者が換気若しくは乾燥運転の終了をリモコン１０より指令したとき、浴室乾燥機本体２より、イオン発生装置１４に制御信号を送信し、イオン発生装置１４はイオンの発生を停止し、停止したことを浴室乾燥機本体２に返信して、報知ＬＥＤ１７を消灯して通信を終了する。通信開始タイマがスタートしてから、浴室乾燥機本体２が一定期間（例えば、１分）状態信号を受信しなかった場合、換気若しくは乾燥運転のときはそれぞれの運転は継続しながら、一定期間経過した後（例えば、１分）に、再度制御信号を送信する。通信が成立するまで数回（例えば、３回）繰り返した後に、それでも通信が成立しない場合、報知ＬＥＤ１７を点滅させ、イオン発生装置１４に停止命令を送信し、浴室の利用者にイオン発生装置１４の異常を知らせて通信を終了する。
【００４７】
浴室の使用者が換気運転を開始すると、羽根板駆動部１５は羽根板１２を開放させて（例えば、０度）、風路ａ１９の圧力損失を軽減させ、浴室外より浴室内に空気を流入させるとともに、浴室乾燥機本体２はイオン発生装置１４に制御信号を送信し、イオン発生装置１４との通信を開始する。イオン発生装置１４は、浴室乾燥機本体２からの換気運転を受信すると、カビの発生を抑制する正若しくは負イオンを浴室内に向けて放出開始する。換気運転が一定時間経過すると（例えば、５分）、浴室外より流入する空気が浴室内の床面若しくは扉に対面する壁面を通過する経路が長くなるように羽根板駆動部１５を駆動させて羽根板１２を移動させる（例えば、４５度）。これにより、イオン発生装置１４より発生した正若しくは負イオンは風路ａ１９を経由して浴室外へ排出されるため、浴室床面若しくは扉に対面する壁面に効率よく放出されることにより、床面若しくは扉に対面する壁面のカビの発生を抑制することができる。さらに換気運転が一定期間経過すると（例えば、運転開始より１０分）、浴室外より浴室内に流入する空気の風路ａ１９が扉側の壁面を経由するように羽根板駆動部１５を駆動させて羽根板１２を移動させる（例えば、１３５度）。
【００４８】
これにより、イオン発生装置１４より発生した正若しくは負のイオンは風路ｂ２０を経由して浴室外へ排出されるため、扉側の壁面のカビの発生を抑制することができる。さらに、一定時間が経過すると（例えば、換気運転開始より１５分）、羽根板駆動部１５を駆動させて、羽根板１２を一定速度（例えば、毎分±１６度）で一定角度（例えば、４５度から１３５度）の間を往復させることで、風路ａ１９と風路ｂ２０との間で風路を風路ａ１９〜風路ｂ２０と往復させて、風路のスイング２２とすることで、浴室外より浴室内へ効率的に空気が流入し、その空気の流れに乗った正若しくは負のイオンが浴室内のカビの発生を抑制する。なお、風路ａ１９と風路ｂ２０の矢印は、風の流れる方向を示す。
【００４９】
さらに浴室の利用者が予め定めておいた一定時間（例えば、２０分）が経過するもしくは浴室の使用者が換気運転の終了をリモコン１０より指令したとき、浴室乾燥機本体２より、イオン発生装置１４に停止信号を送信し、イオン発生装置１４はイオンの発生を停止し、停止したことを浴室乾燥機本体２に送信して、換気運転を終了する。
【００５０】
浴室の使用者が乾燥運転を開始すると、一定期間（例えば、５分）加熱部８、循環部５と換気部４と駆動させて、多湿空気を屋外へ排出させる。その後、加熱部８と循環部５とを停止し、羽根板駆動部１５は羽根板１２を開放させて（例えば、０度）、浴室外より浴室内に空気を流入させるとともに、イオン発生装置１４に制御信号を送信し、イオン発生装置１４との通信を開始する。
【００５１】
イオン発生装置１４は、浴室乾燥機本体２からの乾燥運転の制御信号受信すると、カビの発生を抑制する正若しくは負イオンを浴室内に向けて放出を開始する。さらに一定時間経過すると（例えば、乾燥運転開始から１０分）、圧力センサー１６によって換気口１３を通過する風量が最大となるように、羽根板１２を開閉させて、浴室内に浴室外より多くの空気を流入させて、浴室内の高温多湿空気を浴室外へ排出する。さらに一定時間経過すると（例えば、乾燥運転開始から１５分）、換気部４と羽根板１２とを閉じて（例えば、９０度）、加熱部８と循環部５とを再度駆動させる。この際、イオン発生装置１４の移動手段を駆動させてイオン発生装置１４を移動させて、イオンの放出方向を浴室乾燥機本体２からの温風の吹出し方向に応じて変化させる。
【００５２】
これにより、浴室内に放出された正または負のイオンは風路ｃ２１を経由して浴室内に循環し、循環風路２３を形成し、浴室内のカビの発生を抑制することが出来る。さらに一定時間が経過すると（例えば、乾燥運転開始から２０分）、換気運転と同様の運転を行う。さらに浴室の利用者が予め定めておいた一定時間（例えば、４０分）が経過するもしくは浴室の使用者が乾燥運転の終了をリモコンより指令したとき、浴室乾燥機本体２より、イオン発生装置１４に停止信号を送信し、イオン発生装置１４はイオンの発生を停止し、停止したことを浴室乾燥機本体２に送信して、乾燥運転を終了する。なお、風路ｃ２１と循環風路２３の矢印は、風の流れる方向を示す。
【００５３】
さらに、本実施の形態１では、イオン発生装置１４からのイオンの放出を連続的に放出する構成にしたが、浴室内に正または負のイオンを十分行き渡らせる構成ならばよく、圧力センサー１６によって検出された浴室内と浴室外の圧力差に応じて、間欠的にイオン発生装置１４からイオンを放出する構成にしてもよい。浴室内と浴室外の圧力差が小さいときは換気口１３を通過して浴室内に供給される風量が少なくなるため、イオン発生装置１４を連続的に動作させてイオンの放出量を増加させることで、浴室内に正または負のイオンを十分に行き渡らせ、浴室内のカビの発生を抑制させる。
【００５４】
一方、浴室内と浴室外の圧力差が大きいときは、換気口１３を通過して浴室内に供給される風量が多くなるため、イオン発生部を間欠的に動作させてイオンの放出量を減少させても、浴室内に十分正または負のイオンを行き渡らせることができる。さらに、浴室内と浴室外の圧力差が大きいときは、換気口１３を通過する空気の風速も早くなるため、浴室内に十分に正または負のイオンを行き渡らせるために、圧力センサー１６によって検出された圧力差に応じて、イオン発生装置１４のイオン放出方向を移動させることにより、浴室内に正または負のイオンを十分に行き渡らせ、浴室内のカビの発生を効率的に抑制することができる。
【００５５】
なお、本実施の形態１では、イオン発生装置１４を換気口１３の横に設けた構成にしたが、浴室外から浴室内に流入する空気の風路に接する部分ならば換気口１３の上下左右いずれ位置でもよく、浴室内若しくは浴室外に効率的にイオンを放出することで、浴室内のカビの発生を抑制することができる。
【００５６】
さらに、本実施の形態１では、イオン発生装置１４を換気口１３の横に設けた構成にしたが、羽根板１２の動作に連動してイオン発生装置１４が移動する構成ならば、羽根板１２上にイオン発生装置１４を設ける構成にしてもよい。羽根板１２上にイオン発生装置１４を設けることで、イオン発生装置１４を独自に駆動させる構成にする必要がなく、換気口１３を広く取れることによって浴室内に流入する空気量を増加させて、さらにイオン発生装置１４から正または負のイオンを含有させることにより、浴室内のカビの発生を効率的に抑制することができる。
【００５７】
なお、本実施の形態１では、イオン発生装置１４の状態を浴室の使用者に知らせるための報知手段として、リモコン部に報知ＬＥＤ１７を設けて知らせる構成にしたが、浴室の使用者がイオン発生装置１４の状態を認識することができる構成にすればよく、リモコン１０にスピーカーを設け、音声で浴室の利用者に知らせる構成にしてもよい。このように構成すれば、光や音声を用いて、浴室の使用者はイオン発生装置１４の状態を認識することができる。
【００５８】
なお、本実施の形態１では、浴室乾燥機本体２の換気運転若しくは乾燥運転の各々の運転モード時に、イオン発生装置１４から正または負イオンを浴室内に放出する構成にしたが、浴室の利用者が換気運転若しくは乾燥運転時にイオン発生装置１４を駆動させるかどうかを任意に設定できる構成にしてもよい。このように構成すれば、例えば常時換気運転を行う際にイオン発生装置１４を駆動させないように浴室の利用者が任意に設定することができ、浴室利用者の浴室利用形態に対応したイオン発生装置１４の駆動を行うことができる。
【００５９】
なお、本実施の形態１では、浴室乾燥機本体２とイオン発生装置１４とを有線で構成したが、イオン発生装置１４を制御するならば、浴室乾燥機本体２とイオン発生装置１４とにそれぞれ受発光素子を設けて無線で構成してもよく、施工性を向上させることができる。さらに、安全性を向上させるために、浴室乾燥機本体２とイオン発生装置１４との通信が成立しなかったときに、強制的にイオン発生装置１４を停止させるように、イオン発生を装置１４を浴室乾燥機本体２からの通信信号を一定期間通信しないと強制的にオフするように構成することにより、浴室の利用者が安全に浴室乾燥機を利用することができる。
【００６０】
従って、本実施の形態により、浴室内と浴室外とを隔てる扉に具備された換気口１３にイオン発生部としてのイオン発生装置１４を設けることにより、カビの発生を抑制する正または負イオンを効率的に浴室内若しくは浴室外に放出することができる浴室乾燥機を提供できる。
【産業上の利用可能性】
【００６１】
本発明の浴室内と浴室外とを隔てる扉に具備された換気口部にイオン発生部を設ける構成は、閉鎖された空間の空気交換を行う部分に用いることで、閉鎖された空間のカビの発生を抑制することができる。
【図面の簡単な説明】
【００６２】
【図１】本発明の実施の形態１の浴室乾燥システムを示す概略構成図
【図２】同換気運転時の空気の流れを示す概略図
【図３】同乾燥運転時の空気の流れを示す概略図
【図４】同浴室乾燥機とイオン発生装置との通信形態を示すフローチャート
【符号の説明】
【００６３】
１    浴室
２    浴室乾燥機本体
３    給湯器
４    換気部
５    循環部
６    吹出口
７    吸込口
８    加熱部
９    温水路
１０  リモコン
１１  扉
１２  羽根板
１３  換気口
１４  イオン発生装置
１５  羽根板駆動部
１６  圧力センサー
１７  報知ＬＥＤ
１８  イオン発生装置駆動部
１９  風路ａ
２０  風路ｂ
２１  風路ｃ
２２  風路のスイング
２３  循環風路
【図１】
2008304118.tif 000003
【図２】
2008304118.tif 000004
【図３】
2008304118.tif 000005
【図４】
2008304118.tif 000006